(57)【要約】【課題】案内部材に沿って摺動部材をスムーズに往復移動させる。【解決手段】両軸受リール１００のレベルワインド機構５０は、ウォームシャフト５と、案内部材６と、摺動部材７とを備えている。案内部材６は、筒状であって、ウォームシャフト５の外周側に配置されている。摺動部材７は、第１貫通孔７２、及び収容凹部７４を有する。第１貫通孔７２には、案内部材６が貫通する。収容凹部７４は、第１貫通孔７２の内側面に形成される。摺動部材７は、案内部材６に沿って摺動する。【選択図】図３
2015139392.tif 000002
【特許請求の範囲】
【請求項１】
両軸受リールのレベルワインド機構であって、
ウォームシャフトと、
前記ウォームシャフトの外周側に配置された筒状の案内部材と、
前記案内部材が貫通する第１貫通孔、及び前記第１貫通孔の内側面に形成される収容凹部、を有し、前記案内部材に沿って摺動する摺動部材と、
を備える、レベルワインド機構。
【請求項２】
前記案内部材は、
筒状の案内部材本体と、
前記案内部材本体に形成され、前記案内部材本体の長手方向に延びる開口部と、
を有する、
請求項１に記載のレベルワインド機構。
【請求項３】
前記収容凹部は、前記案内部材本体、及び前記開口部と対向する、
請求項２に記載のレベルワインド機構。
【請求項４】
前記両軸受リールの使用時において、前記開口部は、下方に開口する、
請求項２又は３に記載のレベルワインド機構。
【請求項５】
前記収容凹部は、前記第１貫通孔の内側面の周方向に延びる、
請求項１から４のいずれかにレベルワインド機構。
【請求項６】
前記ウォームシャフトと係合する係合部材をさらに備え、
前記摺動部材は、前記係合部材を収容する第２貫通孔をさらに有する、
請求項１から５のいずれかに記載のレベルワインド機構。
【請求項７】
前記係合部材は、前記開口部を介して、前記ウォームシャフトと係合する、
請求項２から４のいずれかに従属する請求項６に記載のレベルワインド機構。
【請求項８】
前記収容凹部は、前記第１貫通孔の内側面の周方向に延び、
前記収容凹部は、前記第２貫通孔と連通する、
請求項６又は７に記載のレベルワインド機構。
【発明の詳細な説明】
【技術分野】
【０００１】
本発明は、両軸受リールのレベルワインド機構に関するものである。
【背景技術】
【０００２】
特許文献１に示すように、両軸受リールは、スプール上に釣糸を均一に巻くためにレベルワインド機構を備えている。レベルワインド機構は、ウォームシャフトと、案内部材と、摺動部材とを備えている。案内部材は筒状であって、ウォームシャフトは案内部材内を延びている。ウォームシャフトが回転することによって、摺動部材は案内部材に沿って往復移動する。摺動部材は、案内部材が貫通する貫通孔を有している。
【先行技術文献】
【特許文献】
【０００３】
【特許文献１】特開２０１３−２４３９９７号公報
【発明の概要】
【発明が解決しようとする課題】
【０００４】
摺動部材が案内部材に沿ってスムーズに往復移動するためには、摺動部材の貫通孔の内周面と案内部材の外周面との隙間は小さい方が好ましい。しかしながら、この隙間が小さいと、案内部材の外周面に付着した泥などの微細な異物が、この隙間に噛み込むことによって、摺動部材が案内部材に沿ってスムーズに往復移動できなくなったり、案内部材の外周面を傷つけるという問題が生じる。
【０００５】
本発明の課題は、案内部材に沿って摺動部材をスムーズに往復移動させることにある。
【課題を解決するための手段】
【０００６】
本発明のある側面に係る両軸受リールのレベルワインド機構は、ウォームシャフトと、案内部材と、摺動部材とを備えている。案内部材は、筒状であって、ウォームシャフトの外周側に配置されている。摺動部材は、第１貫通孔、及び収容凹部を有する。第１貫通孔には、案内部材が貫通する。収容凹部は、第１貫通孔の内側面に形成される。摺動部材は、案内部材に沿って摺動する。
【０００７】
この構成によれば、摺動部材の第１貫通孔と案内部材との隙間から第１貫通孔内に泥などの異物が入った場合であっても、第１貫通孔の内側面に形成された収容凹部内に、異物が収容される。このため、異物が第１貫通孔内に入った場合であっても、摺動部材は案内部材に沿ってスムーズに往復移動することができる。
【０００８】
好ましくは、案内部材は、案内部材本体と、開口部とを有する。案内部材本体は、筒状である。開口部は、案内部材本体に形成される。また、開口部は、案内部材本体の長手方向に延びる。この構成によれば、収容凹部内に入った異物を、開口部を介して排出することができる。
【０００９】
好ましくは、収容凹部は、案内部材本体、及び開口部と対向する。この構成によれば、効率的に、収容凹部内に入った異物を、開口部を介して排出することができる。
【００１０】
好ましくは、軸受リールの使用時において、開口部は、下方に開口する。この構成によれば、より効率的に、異物を排出することができる。
【００１１】
好ましくは、収容凹部は、第１貫通孔の内側面の周方向に延びる。この構成によれば、第１貫通孔内に入った異物を、効率的に収容凹部内に入れることができる。
【００１２】
好ましくは、レベルワインド機構は、ウォームシャフトと係合する係合部材をさらに備える。摺動部材は、係合部材を収容する第２貫通孔をさらに有する。
【００１３】
好ましくは、係合部材は、開口部を介して、ウォームシャフトと係合する。
【００１４】
好ましくは、収容凹部は、第１貫通孔の内側面の周方向に延びる。収容凹部は、第２貫通孔と連通する。
【００１５】
好ましくは、レベルワインド機構は、蓋部材をさらに備える。蓋部材は、保持部、及び蓋本体部を有する。保持部は、第２貫通孔内に収容され、係合部材を保持する。蓋本体部は、第２貫通孔の一端を覆う。この構成によれば、保持部によって、ウォームシャフトにより近い位置で係合部材を保持することができる。この結果、係合部材のがたつきを抑制することができる。
【００１６】
好ましくは、保持部の一部は、開口部に収容される。
【００１７】
好ましくは、保持部は、筒状であり、第１貫通孔の内周面と前記係合部材の外周面との間に配置される。
【００１８】
好ましくは、第２貫通孔は、内周面に雌ネジ部が形成されている。また、保持部は、外周面に雌ネジ部に螺合する雄ネジ部が形成される。
【００１９】
好ましくは、摺動部材は、釣糸を案内するための釣糸案内部を有する。
【発明の効果】
【００２０】
本発明によれば、摺動部材が案内部材上をスムーズに往復移動することができる。
【図面の簡単な説明】
【００２１】
【図１】両軸受リールの斜視図。
【図２】両軸受リールの断面図。
【図３】レベルワインド機構の断面図。
【図４】摺動部材の側面図。
【図５】図４のＡ−Ａ線断面図。
【発明を実施するための形態】
【００２２】
以下、本発明に係るレベルワインド機構の実施形態について図面を参照しつつ説明する。図１はレベルワインド機構を備える両軸受リールの斜視図、図２はその断面図を示す。
【００２３】
図１及び図２に示すように、本実施形態に係る両軸受リール１００は、前方（図１の右上方向）へ釣糸を繰り出す。両軸受リール１００は、リール本体１と、ハンドル２と、回転伝達機構３と、スプール４と、レベルワインド機構５０と、を備えている。
【００２４】
図１に示すように、リール本体１は、第１本体部１１と、第２本体部１２と、複数の連結部１３と、装着部１４とを有する。第１本体部１１と第２本体部１２とは、互いに対向している。図２に示すように、第１本体部１１と第２本体部１２とによって、スプール軸４１を支持している。
【００２５】
図１に示すように、各連結部１３は、第１本体部１１と第２本体部１２とを連結している。装着部１４は、前後方向に延びており、釣竿に装着されるように構成されている。装着部１４は、釣竿に装着されたときに釣竿と接触する装着面１４１を有する。装着面１４１は、図１において、下方を向いている。各連結部１３のうち、少なくとも１つの連結部１３が、装着部１４に固定されている。
【００２６】
図２に示すように、ハンドル２は、第１本体部１１の外側面に回転可能に装着されている。ハンドル２を回転操作することによって、回転伝達機構３を介して、スプール４及びレベルワインド機構５０を駆動する。
【００２７】
回転伝達機構３は、ハンドル２の回転をスプール４、及びレベルワインド機構５０に伝達する機構である。回転伝達機構３は、第１本体部１１内に設置されている。回転伝達機構３は、駆動軸３１、駆動ギア３２、ピニオンギア３３、第１ギア３４、及び第２ギア３５を有する。
【００２８】
駆動軸３１は、ハンドル２と連結されており、ハンドル２と一体的に回転する。なお、駆動軸３１は、ワンウェイクラッチ３６によって、釣糸繰り出し方向への回転が禁止される。駆動ギア３２は、駆動軸３１に装着され、駆動軸３１と一体的に回転する。ピニオンギア３３は、駆動ギア３２にかみ合う。なお、ピニオンギア３３は筒状である。第１ギア３４は、駆動軸３１に装着され、駆動軸３１と一体的に回転する。第２ギア３５は、第１ギア３４に噛み合う。
【００２９】
スプール４は、第１本体部１１と第２本体部１２との間に配置されている。スプール４の外周面には、釣糸が巻き付けられる。スプール４は、スプール軸４１に固定され、スプール軸４１と一体的に回転する。
【００３０】
スプール軸４１は、軸受部材を介して、第１本体部１１及び第２本体部１２に回転可能に支持される。スプール軸４１の第１本体部１１側の端部が、ピニオンギア３３内を貫通する。スプール軸４１は、クラッチ機構を介してピニオンギア３３と係合している。クラッチ機構をクラッチオン状態にすると、スプール軸４１とピニオンギア３３とは、互いに係合して一体的に回転可能となる。また、クラッチ機構をクラッチオフ状態にすると、スプール軸４１とピニオンギア３３との係合が解除され、互いに独立して相対的に回転可能となる。詳細には、ピニオンギア３３は、スプール軸４１に貫通する係合ピン４２を介して、スプール軸４１に係合したり、その係合が解除されたりする。ピニオンギア３３は、図２の左側に移動すれば係合ピン４２と係合し、図２の右側に移動すれば係合ピン４２との係合が解除される。
【００３１】
図３はレベルワインド機構５０を示す断面図である。レベルワインド機構５０は、釣糸をスプール４上に均一に巻きつけるために往復移動する機構である。図３に示すように、レベルワインド機構５０は、ウォームシャフト５、案内部材６、及び摺動部材７を備える。また、レベルワインド機構５０は、係合部材８、及び蓋部材９をさらに備える。
【００３２】
図２に示すように、ウォームシャフト５は、円柱状に形成されており、外周面に螺旋溝５１を有する。ウォームシャフト５は、スプール軸４１と実質的に平行に延びている。また、ウォームシャフト５は、第１本体部１１と第２本体部１２との間を延びている。
【００３３】
ウォームシャフト５の第１端部５２は、第１本体部１１に回転可能に支持されている。ウォームシャフト５の第１端部５２は、軸受部材を介して、第１本体部１１に支持されていてもよい。また、ウォームシャフト５の第２端部５３は、第２本体部１２に回転可能に支持されている。ウォームシャフト５の第２端部５３は、軸受部材を介して、第２本体部１２に支持されていてもよい。
【００３４】
ウォームシャフト５の第１端部５２には、上述した第２ギア３５が装着されている。ウォームシャフト５は、第２ギア３５と一体的に回転可能である。ウォームシャフト５は、ハンドル２の回転に連動して回転する。詳細には、ハンドル２を回転させると、駆動軸３１及び第１ギア３４を介して、第２ギア３５が回転し、この結果、ウォームシャフト５が回転する。
【００３５】
案内部材６は、摺動部材７を案内するための部材である。案内部材６は、円筒状に形成されており、ウォームシャフト５の外周側に配置される。案内部材６は、ウォームシャフト５と実質的に平行に延びている。また、案内部材６は第１本体部１１と第２本体部１２との間を延びている。案内部材６の第１端部は、第１本体部１１に回転不能に支持されている。また、案内部材６の第２端部は、第２本体部１２に回転不能に支持されている。
【００３６】
図３に示すように、詳細には、案内部材６は、案内部材本体６１、及び開口部６２を有する。案内部材本体６１は、筒状であって、ウォームシャフト５の外周側に配置される。案内部材本体６１の長手方向は、ウォームシャフト５が延びる方向と実質的に同じである。
【００３７】
案内部材本体６１には、開口部６２が形成されている。開口部６２は、係合部材８がウォームシャフト５と係合することを可能とする。開口部６２は、案内部材本体６１の長手方向に沿って形成されている。つまり、開口部６２は、ウォームシャフト５に沿って形成されている。両軸受リール１００の使用時において、開口部６２は、下方に開口している。すなわち、開口部６２は、装着部１４の装着面１４１と実質的に同じ方向を向いている。
【００３８】
図３に示すように、摺動部材７は、案内部材６に沿って摺動するように構成される。詳細には、摺動部材７は、案内部材６に沿って、往復移動する。
【００３９】
図４は摺動部材７の側面図、図５は図４のＡ−Ａ線断面図である。図４及び図５に示すように、摺動部材７は、摺動部材本体７１と、第１貫通孔７２と、第２貫通孔７３と、収容凹部７４とを有する。摺動部材本体７１は、案内部材６に沿って摺動する。
【００４０】
第１貫通孔７２は、摺動部材本体７１を貫通する孔であって、案内部材６に沿って延びている。この第１貫通孔７２内を案内部材６が貫通している。第１貫通孔７２の内周面は、案内部材６の外周面との間に０．０１ｍｍから０．１２ｍｍ程度のわずかな隙間を有している。なお、第１貫通孔７２の断面は、円形状に形成されている。
【００４１】
第２貫通孔７３は、係合部材８を収容するための孔である。第２貫通孔７３の断面は、円形状に形成されている。第２貫通孔７３の内周面の少なくとも一部には、雌ネジ部７３１が形成されている。第２貫通孔７３は、摺動部材本体７１を貫通しており、第１貫通孔７２と摺動部材本体７１の外部とを連通している。なお、第２貫通孔７３は、第１貫通孔７２が延びる方向と実質的に直交する方向に延びている。
【００４２】
図３及び図５に示すように、収容凹部７４は、第１貫通孔７２の内周面に形成されている。詳細には、収容凹部７４は、第１貫通孔７２が延びる方向において、第１貫通孔７２の中央部に形成されている。収容凹部７４の内径は、第１貫通孔７２の内径よりも大きい。収容凹部７４の深さｄは、特に限定されるものではないが、０．５ｍｍ以上１．２ｍｍ以下程度とすることが好ましい。なお、収容凹部７４の深さｄとは、収容凹部７４の内周面と、案内部材本体６１の外周面との距離を示す。また、収容凹部７４の幅ｗは、特に限定されるものではないが、第１貫通孔７２の軸方向の長さＬの４０％以上７０％以下程度とすることが好ましい。
【００４３】
収容凹部７４は、第１貫通孔７２の内周面の周方向に延びている。そして、収容凹部７４は、第２貫通孔７３と連通している。図３に示すように、収容凹部７４は、案内部材本体６１、及び開口部６２と対向するように延びている。
【００４４】
図４に示すように、摺動部材７は、釣糸を案内するための釣糸案内部（図示省略）を有する。釣糸は、スプール４から釣糸案内部を通って前方に延びる。なお、釣糸案内部は、摺動部材本体７１を貫通する穴７５に装着されたセラミック等の硬質部材である。釣糸案内部は、穴７５と同じ方向に貫通孔を有する。
【００４５】
摺動部材７が案内部材６に沿って摺動する際、摺動部材７は、釣糸案内部が釣糸から受ける力と係合部材８がウォームシャフト５から受ける力とによって、わずかに傾く。そして、例えば、摺動部材７が図３の左側に移動する際、第１貫通孔７２の内周面の左端部７２１が案内部材６の上面から離反し、右端部７２２が案内部材６の上面と接触する。つまり、案内部材６の上面に付着した泥などの異物は、第１貫通孔７２の右端部７２２で剥がされて、収容凹部７４に収容されていく。なお、案内部材６の下面には開口部６２が形成されているので、第１貫通孔７２の内周面は案内部材６の下面と接触しない。
【００４６】
図３に示すように、係合部材８は、ウォームシャフト５と係合するように構成される。詳細には、係合部材８は、ウォームシャフト５の螺旋溝５１に係合するように構成されている。係合部材８は、開口部６２を介して、案内部材６の外部から案内部材６の内部へと延びている。係合部材８は、軸部８１と係合爪部８２とを有する。軸部８１は、実質的に円柱状に形成されている。係合爪部８２は、螺旋溝５１と係合するように構成されている。軸部８１と係合爪部８２とは、一体的に形成されている。
【００４７】
蓋部材９は、蓋本体部９１と保持部９２とを有している。蓋本体部９１は、第２貫通孔７３の一端を覆うように構成されている。保持部９２は、円筒状に形成されており、蓋本体部９１から延びている。保持部９２は、第２貫通孔７３内に収容されている。また、保持部９２は、第２貫通孔７３の内周面と係合部材８の外周面との間に配置されている。詳細には、保持部９２は、第２貫通孔７３の内周面と軸部８１の外周面との間に配置されている。保持部９２は、係合部材８を摺動回転可能に保持する。保持部９２の一部は、開口部６２内に収容されている。
【００４８】
係合部材８の軸部８１は、保持部９２内に収容されている。保持部９２の内径は、係合部材８の軸部８１の外径とほぼ同じ寸法に設計されている。詳細には、係合部材８の軸部８１が保持部９２内において軸周りに回転可能となる程度に、軸部８１の外径は、保持部９２の内径よりも小さい。
【００４９】
保持部９２は、外周面の少なくとも一部に、雄ネジ部９２１が形成されている。この雄ネジ部９２１が、第２貫通孔７３の内周面に形成された雌ネジ部７３１に螺合する。すなわち、保持部９２は、摺動部材７に固定されており、係合部材８を保持している。この蓋部材９の外側面は、図３から分かるように、摺動部材７の外側面と滑らかに連続している。
【００５０】
次に、上述したように構成されたレベルワインド機構５０の動作について説明する。
【００５１】
まず、ハンドル２を回転させると、駆動軸３１、第１ギア３４、及び第２ギア３５を介して、ウォームシャフト５が回転する。このウォームシャフト５の回転によって、係合部材８がウォームシャフト５に沿って往復移動する。係合部材８は蓋部材９に保持されており、蓋部材９は摺動部材７に固定されているため、摺動部材７は係合部材８とともにウォームシャフト５に沿って往復移動する。この結果、摺動部材７の釣糸案内部７５によって案内される釣糸が、スプール４上に均一に巻かれる。
【００５２】
［特徴］
本実施形態に係るレベルワインド機構５０は、次の特徴を有する。
【００５３】
両軸受リール１００のレベルワインド機構５０は、ウォームシャフト５と、案内部材６と、摺動部材７とを備えている。案内部材６は、筒状であって、ウォームシャフト５の外周側に配置されている。摺動部材７は、第１貫通孔７２、及び収容凹部７４を有する。第１貫通孔７２には、案内部材６が貫通する。収容凹部７４は、第１貫通孔７２の内側面に形成される。摺動部材７は、案内部材６に沿って摺動する。
【００５４】
この構成によれば、摺動部材７の第１貫通孔７２と案内部材６との隙間から第１貫通孔７２内に泥などの異物が入った場合であっても、第１貫通孔７２の内側面に形成された収容凹部７４内に、異物が収容される。このため、異物が第１貫通孔７２内に入った場合であっても、摺動部材７は案内部材６に沿ってスムーズに往復移動することができる。
【００５５】
［変形例］
以上、本発明の実施形態について説明したが、本発明はこれらに限定されるものではなく、本発明の趣旨を逸脱しない限りにおいて種々の変更が可能である。
【００５６】
変形例１
上記実施形態では、係合部材８は、蓋部材９の保持部９２によって保持されているが特にこれに限定されない。例えば、係合部材８は、摺動部材７の第２貫通孔７３に保持されていてもよい。この場合、蓋部材９は、保持部９２を有していない。
【００５７】
変形例２
上記実施形態では、収容凹部７４は、第１貫通孔７２の周方向に亘って形成されているが、特にこれに限定されない。例えば、第１貫通孔７２の周方向において、収容凹部７４は、第１貫通孔７２の内周面の一部のみに形成されていてもよい。
【００５８】
変形例３
上記実施形態では、収容凹部７４は、一列のみ形成されているが、特にこれに限定されない。例えば、収容凹部７４は、複数列形成されていてもよい。
【００５９】
変形例４
上記実施形態では、収納凹部７４から案内部材６の開口部６２を介して異物が排出されるようにしているが、特にこれに限定されない。例えば、収容凹部７４から摺動部材７の外側面に連通する排出口をさらに形成し、この排出口から異物などを排出してもよい。
【符号の説明】
【００６０】
１００    両軸受リール
５０    レベルワインド機構
５    ウォームシャフト
６    案内部材
６１    案内部材本体
６２    開口部
７    摺動部材
７２    第１貫通孔
７３    第２貫通孔
７４    収容凹部
８    係合部材
【図１】
2015139392.tif 000003
【図２】
2015139392.tif 000004
【図３】
2015139392.tif 000005
【図４】
2015139392.tif 000006
【図５】
2015139392.tif 000007